(57)【要約】【課題】内部から湿気と臭いを効果的に除去することができ、しかも、それを簡素な機構で効果的に実現することができるシューズボックスを提供する。【解決手段】低所に給気口９が設けられると共に、高所に排気口１１が設けられ、内部の少なくとも低所にヒーター１２が設けられ、ヒーター１２の発熱による内部空気の温度差上昇によって、低所の給気口９から外気が取り入れられ、高所の排気口１１から内部の空気が排出されるようになされている。内部の靴棚に上下の室を連通する通気用連通部が備えられ、通気用連通部は各棚の端部に千鳥配置で備えられることによって内部に空気の蛇行経路が形成されているとよい。【選択図】      図１
2006280617.tif 000002
【特許請求の範囲】
【請求項１】
低所に給気口が設けられると共に、高所に排気口が設けられ、内部の少なくとも低所にヒーターが設けられ、
ヒーターの発熱による内部空気の温度差上昇によって、低所の給気口から外気が取り入れられ、高所の排気口から内部の空気が排出されるようになされていることを特徴とするシューズボックス。
【請求項２】
内部の靴棚に上下の室を連通する通気用連通部が備えられている請求項１に記載のシューズボックス。
【請求項３】
前記通気用連通部が各棚の端部に千鳥配置で備えられることによって内部に空気の蛇行経路が形成されている請求項２に記載のシューズボックス。
【請求項４】
排気口に消臭フィルターが設置され、内部の空気が該消臭フィルターを通過して外に排出されるようになされている請求項１乃至３のいずれか一に記載のシューズボックス。
【請求項５】
内部に調湿材が設けられている請求項１乃至４のいずれか一に記載のシューズボックス。
【発明の詳細な説明】
【技術分野】
【０００１】
本発明は、シューズボックスに関する。
【背景技術】
【０００２】
シューズボックス内は、半密閉状態にあり、湿気がたまりやすく、臭いがこもりやすい。そのため、シューズボックスの扉に、通気用のガラリや小さな開口が備えられているものも提供されているが、シューズボックス内の空気の動きは悪く、湿気対策や臭いのこもりを解消する機能を充分に果たしうるものとはいえない。
【発明の開示】
【発明が解決しようとする課題】
【０００３】
本発明は、上記のような問題点に鑑み、内部から湿気と臭いを効果的に除去することができ、しかも、それを簡素な機構で効果的に実現することができるシューズボックスを提供することを課題とする。
【課題を解決するための手段】
【０００４】
上記の課題は、低所に給気口が設けられると共に、高所に排気口が設けられ、内部の少なくとも低所にヒーターが設けられ、
ヒーターの発熱による内部空気の温度差上昇によって、低所の給気口から外気が取り入れられ、高所の排気口から内部の空気が排出されるようになされていることを特徴とするシューズボックスによって解決される。
【０００５】
このシューズボックスでは、内部の低所に備えられたヒーターがファンの代わりになって、内部の空気を上に向けて積極的に動かし、低所の給気口から外気を取り入れ、高所の排気口から内部の空気を排出するので、その換気作用によって、内部の湿気と臭いを効果的に除去することができる。
【０００６】
しかも、換気のために空気を動かす駆動源として、ヒーターを用いているので、上記のような換気が行われながら、内部に乾燥作用も及ぼされ、内部を効果的に乾燥させることができる。また、シューズボックス内にＨＣＯＨ，ＶＯＣ等の有害化学物質が貯まっている場合には、その除去も早期のうちに行われてしまう。
【０００７】
このように、本発明のシューズボックスは、ヒーターを唯一の駆動源として、内部の換気と乾燥を行うものであり、内部からの湿気と臭いの排除を簡素な機構で効果的に実現することができる。
【０００８】
上記のシューズボックスにおいて、内部の靴棚に上下の室を連通する通気用連通部が備えられている場合は、ヒーターの駆動による内部空気の温度差上昇を促進することができる。
【０００９】
特に、通気用連通部が各棚の端部に千鳥配置で備えられることによって内部に空気の蛇行経路が形成されている場合は、小さなヒーターで内部の隅々にまで空気を効率良く行き渡らせることができ、多くの靴が内部に収納されていても、それらの靴の臭いを効果的に除去し、しかも、乾燥させることができる。
【００１０】
上記のシューズボックスにおいて、排気口に消臭フィルターが設置され、内部の空気が該消臭フィルターを通過して外に排出されるようになされている場合には、内部の臭いが外に放散されてしまうのを防ぐことができると共に、排気口への設置によって、内部の臭い成分を小さな消臭フィルターで効率良く捕獲することができる。
【００１１】
また、内部に調湿材が設けられている場合は、シューズボックス内では飽和して機能しなくなりやすい調湿材の放湿再生をヒーターが促し、ヒーターと調湿材の組み合わせによって、調湿材の機能を引き出し、内部を好適な湿度環境にすることができる。
【発明の効果】
【００１２】
本発明は、以上のとおりのものであるから、内部から湿気と臭いを効果的に除去することができ、しかも、それを簡素な機構で効果的に実現することができる。
【発明を実施するための最良の形態】
【００１３】
次に、本発明の実施最良形態を図面に基づいて説明する。
【００１４】
図１及び図２に示す第１実施形態のシューズボックス１は、天板２、底板３、両側板４，４、背板５及び正面側の扉６によって、扉６を閉じた状態にすると、内部が半密閉状態になり、扉６を開いた内部には、靴棚７…が上下方向に複数段備えられ、底板３には脚８…が設けられて、底板３と床面１５との間に空間スペースが形成されるようになされている。
【００１５】
そして、低所である底板３の幅方向の一側には最下の靴収容空間１０に面して給気口９が設けられると共に、一方の側板４には、高所である最上段の靴収容空間１０に面して排気口１１が設けられている。
【００１６】
また、底板３と靴棚７…と天板２とに挟まれた上下方向の各靴収容空間１０…は、各靴棚７…の奥行き方向の中間部に設けられた通気用連通部１６…によって互いに連通され、各靴棚７…には通気用連通部１６が一つづつ、靴棚７の端部の前後方向中間部に設けられた切欠き１７によって、各靴棚７の端部に上下方向に千鳥配置となるようにして備えられている。なお、靴棚７は、端部の切欠き１７を挟む前後をピン１８…に支承させることによって、シューズボックス１の内部に脱着可能に設置されている。
【００１７】
そして、最下の靴棚７の通気用連通部１６のある側とは反対側の側板４の内面部には、面状の電気ヒーター１２が取り付けられ、該ヒーター１２に通電して駆動すると、図２に示すように、最下の靴収容空間１０内の空気がヒーター１２で暖められ、それが、同空間１０内に拡がっていき、その暖められた空気が、直上の靴棚７の、ヒーター１２とは反対の側に備えられている通気用連通部１６を通じて、温度差上昇作用によって上の靴収容空間１０内に送り込まれ、同様に各通気用連通部１６…を通じて温度差上昇作用により上の靴収容空間１０…部へと蛇行しながらすべての靴収容空間１０を端から端まで巡り、上記の温度差上昇作用によって、最下の給気口９から内部に外気が取り込まれ、排気口１１を通じて最上の靴収容空間１０の空気が外に排出されるようになされている。
【００１８】
また、排気口１１には消臭フィルター１３が設置され、上記のような空気経路を移動してきた内部の空気が消臭フィルター１３を通過して外に排出されるようになされている。
【００１９】
上記のシューズボックス１では、このように、ヒーター１２が内部の空気を暖めて空気の温度差上昇を生じさせ、ファンの代わりになって、内部の空気を上に向けて積極的に動かし、低所の給気口９から外気を取り入れ、高所の排気口１１から内部の空気を排出するようになされているので、その換気作用によって、内部の湿気と臭いを効果的に除去することができる。
【００２０】
しかも、換気のための空気を動かす駆動源として、ヒーター１２が用いられているので、上記のような換気が行われながら、内部に熱による乾燥作用も及ぼされ、内部を、自然乾燥ではなく、積極乾燥によって効果的に乾燥させることができて、シューズボックス内にＨＣＯＨ，ＶＯＣ等の有害化学物質が貯まっている場合にはその除去も早期のうちに達せられる。
【００２１】
そして、本実施形態では、内部の靴棚７…に上下の靴収容空間１０…を連通する通気用連通部１６…が備えられているので、ヒーター１２の駆動による内部空気の温度差上昇を促進することができ、また、各通気用連通部１６…が各靴棚７…の端部に千鳥配置で備えられているので、温度差上昇作用で動かされる内部の空気を、各靴収容空間１０…内の端から端まで巡らせることができて、小さなヒーター１２で内部の隅々にまで空気を効率良く行き渡らせることができ、多くの靴が内部に収納されていても、それらの靴の臭いを効果的に除去し、乾燥させることができる。
【００２２】
また、排気口１１に設置された消臭フィルター１３によって、内部の臭いが換気作用によって外に放散されてしまうのが防がれ、排気口１１への消臭フィルター１３の設置によって、内部の臭い成分を小さな消臭フィルターで効率良く捕獲することができる。
【００２３】
図３（イ）に示す第２実施形態のシューズボックス１は、面状電気ヒーター１２…が、低所から高所にわたるすべての靴棚７…の下面部のそれぞれに、靴棚７の幅方向のほぼ全長にわたって延びるように備えられたものであり、内部の換気と乾燥を、第１実施形態のシューズボックス１の場合よりも効果的に行うことができる。その他は第１実施形態の同様である。
【００２４】
図３（ロ）に示す第３実施形態のシューズボックス１は、第１実施形態のシューズボックス１において、調湿材１４が、低所から高所にわたるすべての靴棚７…の下面部のそれぞれに、靴棚７の幅方向のほぼ全長にわたって延びるように設けられており、シューズボックス１内では飽和して機能しなくなりやすい調湿材の放湿再生をヒーター１２が促し、ヒーター１２と調湿材１４…の組み合わせによって、調湿材１４の機能を引き出し、内部を好適な湿度環境にすることができる。
【００２５】
以上に、本発明の実施形態を示したが、本発明はこれに限られるものではなく、発明思想を逸脱しない範囲で各種の変更が可能である。例えば、給気口を設ける低所の具体的位置や、排気口を設ける高所の具体的位置、また、ヒーターを設ける低所の具体的位置に制限はなく、都合の良い位置を選択して備えられていればよく、その数についても制限はいない。
【００２６】
また、靴棚に備えられる通気用連通部の位置についても、上記のような蛇行形式によらなくてもよいし、一つの靴棚に備えられる通気用連通部の数についても制限はないし、靴棚の通気用連通部を省略して、靴棚と正面扉との間の上下方向に連通する隙間を空気の温度差上昇経路にしてもよい。また、消臭フィルターや調湿材の採用は任意である。
【図面の簡単な説明】
【００２７】
【図１】図（イ）は第１実施形態のシューズボックスを示す断面正面図、図（ロ）は靴棚の斜視図、図（ハ）は同シューズボックスの斜視図である。
【図２】同シューズボックスの作動状態を示す断面正面図である。
【図３】図（イ）は第２実施形態のシューズボックスを示す断面正面図、図（ロ）は第３実施形態のシューズボックスを示す断面正面図である。
【符号の説明】
【００２８】
１…シューズボックス
７…靴棚
９…給気口
１１…排気口
１２…ヒーター
１３…消臭フィルター
１４…調湿材
１６…通気用連通部
【図１】
2006280617.tif 000003
【図２】
2006280617.tif 000004
【図３】
2006280617.tif 000005